(57)【要約】【課題】金属・水分対応で、所望の交信距離が得られる周波数帯の幅を広くすることができるＲＦＩＤタグを提供する。【解決手段】  導電体膜５０１、フィルム部材５０２、誘電体シート５０３、ＩＣチップ５０４、及びスロットアンテナなどを有している。導電体膜５０１は、フィルム部材５０２の一側の面にスロットアンテナに対応する部分を除く領域に設けられている。そして、誘電体シート５０３は、Ｙ軸方向の両端近傍を除いて、導電体膜５０１が形成されているフィルム部材５０２で多層被覆されている。スロットアンテナは、Ｙ軸方向に延びる第１のスロット部と、該第１のスロット部のＹ軸方向の両端に接続された２つのループ部とを有している。ＩＣチップ５０４は、第１のスロット部に配置され、導電体膜５０１における第１のスロット部を形成している部分と電気的に接続されている。【選択図】図１８
2014041444.tif 000002
【特許請求の範囲】
【請求項１】
誘電体シートと、スロットアンテナが形成され前記誘電体シートを実質的に取り囲んでいる導電体膜と、前記導電体膜における前記スロットアンテナが形成された部分と電気的に接続されているＩＣチップとを備えるＲＦＩＤタグにおいて、
前記誘電体シートは、絶縁層を間に挟む多層の前記導電体膜によって取り囲まれていることを特徴とするＲＦＩＤタグ。
【請求項２】
前記スロットアンテナは、前記誘電体シートのシート面に平行な面内の一の方向に延び、前記ＩＣチップが配置される直線部と、該直線部の前記一の方向の両端に接続された２つのループ部とを有することを特徴とする請求項１に記載のＲＦＩＤタグ。
【請求項３】
前記２つのループ部の形状は、いずれも矩形形状であることを特徴とする請求項２に記載のＲＦＩＤタグ。
【請求項４】
前記スロットアンテナは、前記直線部の中心を通り、前記一の方向に直交する方向に平行な直線を対称軸とする線対称であることを特徴とする請求項２又は３に記載のＲＦＩＤタグ。
【請求項５】
前記スロットアンテナは、前記直線部の中心を通り、前記一の方向に平行な直線を対称軸とする線対称であることを特徴とする請求項１〜４のいずれか一項に記載のＲＦＩＤタグ。
【請求項６】
前記誘電体シートのシート面に直交する方向に関して、前記誘電体シートを実質的に取り囲んでいる導電体膜の一側及び他側の少なくとも一方に設けられた絶縁体シートを更に備えることを特徴とする請求項１〜５のいずれか一項に記載のＲＦＩＤタグ。
【請求項７】
前記誘電体シート中あるいは前記誘電体シートと前記導電体膜との間に設けられたマグネット部材を更に備えることを特徴とする請求項１〜６のいずれか一項に記載のＲＦＩＤタグ。
【請求項８】
前記誘電体シートは、少なくとも一部に表示内容の書き換えが可能な表示機能を有することを特徴とする請求項１〜７のいずれか一項に記載のＲＦＩＤタグ。
【請求項９】
前記誘電体シートを実質的に取り囲んでいる前記導電体膜を第１の導電体膜とし、
前記誘電体シートのシート面に直交する方向に関して、前記誘電体シートの一側にある前記第１の導電体膜及び他側にある前記第１の導電体膜の少なくとも一方に設けられ、前記誘電体シートの面積の１倍以上の面積を有する第２の導電体膜を更に備えることを特徴とする請求項１〜８のいずれか一項に記載のＲＦＩＤタグ。
【請求項１０】
情報が格納されている請求項１〜９のいずれか一項に記載のＲＦＩＤタグと、
前記ＲＦＩＤタグに対して無線通信により少なくとも前記情報の読み出しを行なう通信装置と、
前記通信装置で読み出された前記情報に基づいて、前記ＲＦＩＤタグが貼り付けられている物を管理する管理装置と、を備えるＲＦＩＤシステム。
【発明の詳細な説明】
【技術分野】
【０００１】
本発明は、ＲＦＩＤタグ及びＲＦＩＤシステムに係り、更に詳しくは、金属及び水分に対応可能なＲＦＩＤタグ、及び該ＲＦＩＤタグを含むＲＦＩＤシステムに関する。
【背景技術】
【０００２】
非接触で情報を伝送するシステムの１つとして、ＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
このＲＦＩＤシステムは、一般に、ＲＦＩＤタグ（「無線タグ」とも呼ばれる）と、リーダライタ（ＲＷ）装置とを備えている。そして、ＲＷ装置からＲＦＩＤタグに対して無線通信により情報の読み書きが行なわれる。
【０００４】
ＲＦＩＤタグには、電源を内蔵しているＲＦＩＤタグ（「アクティブタグ」と呼ばれている）と、電源を内蔵していないＲＦＩＤタグ（「パッシブタグ」と呼ばれる）とがある。
【０００５】
パッシブタグは、ＲＷ装置から受信した電波を駆動電力にして、内蔵するＩＣやＬＳＩ等の集積回路を動作させ、受信した無線信号（制御信号）に応じた各種処理を行なう。
【０００６】
パッシブタグからＲＷ装置への送信は、受信した無線信号の反射波を利用して行なわれる。すなわち、タグのＩＤ情報や上記各種処理の結果などの情報を反射波にのせて、ＲＷ装置へ送信する。
【０００７】
ＲＦＩＤシステムでは、通信に様々な周波数帯が利用されているが、最近では、ＵＨＦ帯（８６０ＭＨｚ〜９６０ＭＨｚ）が注目されている。ＵＨＦ帯は、既存の１３．５６ＭＨｚ帯や２．４５ＧＨｚ帯に比べて長距離通信が可能である。
【０００８】
ＵＨＦ帯の周波数として、欧州では８６８ＭＨｚ、米国では９１５ＭＨｚ、日本では９５３ＭＨｚ付近の周波数が使用されている。
【０００９】
ＵＨＦ帯のパッシブタグの通信距離（交信距離）は、該タグに内蔵されている集積回路の性能にもよるが、約３〜５ｍである。また、ＲＷ装置の出力は１ワット（Ｗ）程度である。
【００１０】
ところで、一般のＲＦＩＤタグは、金属物体の表面に貼りつけられた場合や、近傍に水分が存在する場合に、通信が困難になる場合があった。
【００１１】
そこで、金属物体の表面に貼りつけることができる金属対応のＲＦＩＤタグが種々考案された（例えば、特許文献１〜特許文献５参照）。
【発明の概要】
【発明が解決しようとする課題】
【００１２】
しかしながら、従来の金属・水分対応のＲＦＩＤタグでは、所望の交信距離が得られる周波数帯の幅に制約があった。
【課題を解決するための手段】
【００１３】
本発明は、誘電体シートと、スロットアンテナが形成され前記誘電体シートを実質的に取り囲んでいる導電体膜と、前記導電体膜における前記スロットアンテナが形成された部分と電気的に接続されているＩＣチップとを備えるＲＦＩＤタグにおいて、前記誘電体シートは、絶縁層を間に挟む多層の前記導電体膜によって取り囲まれていることを特徴とするＲＦＩＤタグである。
【００１４】
なお、本明細書では、「電気的に接続されている」は、互いに物理的に接触している場合だけでなく、互いが導電性を有する部材で連結されている場合、及び交流が通過できる程度に互いが近接している場合も含む。
【００１５】
また、「実質的に取り囲んでいる」とは、誘電体シートの一側の面上にある導電体膜と、他側の面上にある導電体膜との間の交流の通過が阻害されないことを意味している。
【発明の効果】
【００１６】
本発明のＲＦＩＤタグによれば、金属・水分対応で、所望の交信距離が得られる周波数帯の幅を広くすることができる。
【図面の簡単な説明】
【００１７】
【図１】本発明の一実施形態に係るＲＦＩＤシステムの概略構成を説明するための図である。
【図２】携帯端末の入力装置を説明するための図である。
【図３】３つの倉庫とＩＤ番号との関係（倉庫ＤＢ）、及び９つの飲料水ボトルとＩＤ番号との関係（ボトルＤＢ）を説明するための図である。
【図４】ＲＦＩＤシステムの動作を説明するための図（その１）である。
【図５】ＲＦＩＤシステムの動作を説明するための図（その２）である。
【図６】ＲＦＩＤシステムの動作を説明するための図（その３）である。
【図７】ＲＦＩＤシステムの動作を説明するための図（その４）である。
【図８】ＲＦＩＤシステムの動作を説明するための図（その５）である。
【図９】ＲＦＩＤシステムの動作を説明するための図（その６）である。
【図１０】ＲＦＩＤシステムの動作を説明するための図（その７）である。
【図１１】ＲＦＩＤシステムの動作を説明するための図（その８）である。
【図１２】ＲＦＩＤシステムの動作を説明するための図（その９）である。
【図１３】ＲＦＩＤシステムの動作を説明するための図（その１０）である。
【図１４】ＲＦＩＤシステムの動作を説明するための図（その１１）である。
【図１５】ＲＦＩＤシステムの動作を説明するための図（その１２）である。
【図１６】ＲＦＩＤタグを説明するための図（その１）である。
【図１７】ＲＦＩＤタグを説明するための図（その２）である。
【図１８】図１６のＡ−Ａ断面図である。
【図１９】ＩＣチップを説明するための図である。
【図２０】スロットアンテナを説明するための図（その１）である。
【図２１】スロットアンテナを説明するための図（その２）である。
【図２２】ＲＦＩＤタグの各寸法を説明するための図（その１）である。
【図２３】ＲＦＩＤタグの各寸法を説明するための図（その２）である。
【図２４】ＲＦＩＤタグの具体例を説明するための図である。
【図２５】ＲＦＩＤタグにおける磁場が強い領域Ｍａを説明するための図である。
【図２６】誘電体シートを取り囲む導電体膜を多層にすることの効果を説明するための図である。
【図２７】変形例１のＲＦＩＤタグ５００Ａを説明するための図である。
【図２８】ＲＦＩＤタグ５００Ａの交信性能を説明するための図（その１）である。
【図２９】ＲＦＩＤタグ５００Ａの交信性能を説明するための図（その２）である。
【図３０】変形例２のＲＦＩＤタグ５００Ｂを説明するための図である。
【図３１】ＲＦＩＤタグ５００Ｂの交信性能を説明するための図（その１）である。
【図３２】ＲＦＩＤタグ５００Ｂの交信性能を説明するための図（その２）である。
【図３３】導電体膜の接合部の変形例１を説明するための図である。
【図３４】導電体膜の接合部の変形例２を説明するための図である。
【発明を実施するための形態】
【００１８】
以下、本発明の一実施形態を図１〜図２６に基づいて説明する。図１には、一実施形態に係るＲＦＩＤシステム１０の概略構成が示されている。
【００１９】
このＲＦＩＤシステム１０は、複数の飲料水ボトルを管理するシステムであり、管理装置１０００、３つのサーバ（１１００Ａ、１１００Ｂ、１１００Ｃ）、携帯端末１００、複数のＲＦＩＤタグ５００、及び複数の飲料水ボトル（４００Ａ〜４００Ｉ）を有している。
ＲＦＩＤシステム１０は、ＵＨＦ帯（８６０ＭＨｚ〜９６０ＭＨｚ）に対応している。
【００２０】
複数のＲＦＩＤタグ５００は、同じ構成のＲＦＩＤタグであるが、それぞれユニークなＩＤ番号が格納されている。なお、ＲＦＩＤタグ５００の詳細については、後述する。
【００２１】
複数の飲料水ボトル（４００Ａ〜４００Ｉ）には、それぞれＲＦＩＤタグ５００が所定の位置に貼り付けられている。以下では、飲料水ボトル４００Ａを特定するためのボトル番号を４００Ａ、飲料水ボトル４００Ｂを特定するためのボトル番号を４００Ｂ、・・・・・・、飲料水ボトル４００Ｉを特定するためのボトル番号を４００Ｉとする。
【００２２】
複数の飲料水ボトル（４００Ａ〜４００Ｉ）は、３つの倉庫（３００Ａ、３００Ｂ、３００Ｃ）に保管されている。各倉庫には、ＲＦＩＤタグ５００が所定の位置に貼り付けられている。以下では、倉庫３００Ａを特定するための倉庫番号を３００Ａ、倉庫３００Ｂを特定するための倉庫番号を３００Ｂ、倉庫３００Ｃを特定するための倉庫番号を３００Ｃとする。
【００２３】
サーバ１１００Ａは倉庫３００Ａ用のサーバであり、サーバ１１００Ｂは倉庫３００Ｂ用のサーバであり、サーバ１１００Ｃは倉庫３００Ｃ用のサーバである。
【００２４】
携帯端末１００は、処理装置１０１、ＲＷ装置１０３、入力装置１０４、表示装置１０５、及び通信装置１０６などを有している。
【００２５】
処理装置１０１は、ＣＰＵ、ＲＯＭ、及びＲＡＭなどを有している。そして、ＲＯＭには、ＣＰＵにて解読可能なコードで記述された複数のプログラム及びプログラムの実行に用いられる複数のデータ等が格納されている。また、ＲＡＭは、作業用のメモリである。
【００２６】
ＲＷ装置１０３は、ＲＦＩＤタグ５００のＩＤ番号を読み取って処理装置１０１に通知するとともに、処理装置１０１から指示された情報をＲＦＩＤタグ５００に書き込む。すなわち、ＲＷ装置１０３は、ＲＦＩＤタグ５００のリーダライタ装置である。
【００２７】
入力装置１０４は、一例として図２に示されるように、テンキー、方向キー、ＲＦＩＤリードキー、ＲＦＩＤライトキー、キャンセルキー等の入力媒体を備え、作業者から入力された各種情報を処理装置１０１のＣＰＵに通知する。
【００２８】
表示装置１０５は、液晶ディスプレイ等の表示部を備え、処理装置１０１のＣＰＵから指示された各種情報を表示する。
【００２９】
通信装置１０６は、３つのサーバ（１１００Ａ、１１００Ｂ、１１００Ｃ）のうち、最も近くにあるサーバとの双方向の通信を制御する。なお、通信装置１０６と該サーバとの通信は、無線通信であっても良いし、有線通信であっても良い。
【００３０】
各サーバは、電力が供給されなくてもデータを保持しておくことができる不揮発性のメモリを有している。該メモリには、３つの倉庫（３００Ａ、３００Ｂ、３００Ｃ）とＲＦＩＤタグ５００に記録されているＩＤ番号との関係、複数の飲料水ボトル（４００Ａ〜４００Ｉ）とＲＦＩＤタグ５００に記録されているＩＤ番号との関係、及び作業者を特定するための作業者番号と暗証番号との関係などがデータベースとして格納されている。また、該メモリには、複数の飲料水ボトル（４００Ａ〜４００Ｉ）の管理情報（以下では、便宜上「ボトル管理情報」と略述する）が格納されている。
【００３１】
以下では、便宜上、上記３つの倉庫とＩＤ番号との関係が含まれるデータベースを「倉庫ＤＢ」といい、上記複数の飲料水ボトルとＩＤ番号との関係が含まれるデータベースを「ボトルＤＢ」といい、上記作業者番号と暗証番号との関係が含まれるデータベースを「作業者ＤＢ」という。
【００３２】
管理装置１０００は、３つのサーバ（１１００Ａ、１１００Ｂ、１１００Ｃ）とネットワークを介して接続されており、複数の飲料水ボトル（４００Ａ〜４００Ｉ）を管理する。管理装置１０００も、上記ボトル管理情報、上記倉庫ＤＢ、上記ボトルＤＢ、及び上記作業者ＤＢを有している。
【００３３】
所定の資格（権限）を有する者は、管理装置１０００を介して、上記倉庫ＤＢ、上記ボトルＤＢ、上記作業者ＤＢの変更、追加、及び削除（以下では、便宜上「変更等」という）を行うことができる。そして、変更等がなされたデータベースは、直ちに３つのサーバ（１１００Ａ、１１００Ｂ、１１００Ｃ）に送られる。
【００３４】
次に、ＲＦＩＤシステム１０の動作について説明する。
なお、ここでは、倉庫３００Ａに貼り付けられているＲＦＩＤタグ５００のＩＤ番号を「３００１」、倉庫３００Ｂに貼り付けられているＲＦＩＤタグ５００のＩＤ番号を「３００２」、倉庫３００Ｃに貼り付けられているＲＦＩＤタグ５００のＩＤ番号を「３００３」とする（図３参照）。また、飲料水ボトル４００Ａ〜飲料水ボトル４００Ｉに取り付けられている各ＲＦＩＤタグ５００のＩＤ番号を、それぞれ「４００１」〜「４００９」とする（図３参照）。
【００３５】
また、飲料水ボトル４００Ａ〜飲料水ボトル４００Ｃは、倉庫３００Ａに保管されており、飲料水ボトル４００Ｄ〜飲料水ボトル４００Ｆは、倉庫３００Ｂに保管されており、飲料水ボトル４００Ｇ〜飲料水ボトル４００Ｉは、倉庫３００Ｃに保管されているものとする（図１参照）。そこで、図４に示されるボトル管理情報が、管理装置１０００、及び各サーバのメモリに格納されている。
【００３６】
作業者は、携帯端末１００の電源スイッチをオンにする。このとき、処理装置１０１は、所定の初期化処理を行った後、異常がなければ、一例として図５に示されるように、表示装置１０５の表示部に初期メニューを表示させる。このとき、処理装置１０１は、最も近くにあるサーバのメモリに格納されているボトル管理情報、倉庫ＤＢ、ボトルＤＢ、及び作業者ＤＢをダウンロードし、ＲＡＭに保存する。
【００３７】
作業者が、初期メニューの「出庫処理」を選択すると、処理装置１０１は、一例として図６に示されるように、作業者番号と暗証番号の入力を要求する画面を表示装置１０５の表示部に表示させる。
【００３８】
作業者が、作業者番号と暗証番号を入力すると、処理装置１０１は、ＲＡＭに保存されている作業者ＤＢを検索し、入力された作業者番号と暗証番号との関係が正しいか否かを判断し、正しいと判断されると、一例として図７に示されるように、出庫対象となる飲料水ボトルのボトル番号の入力を指示する画面を表示装置１０５の表示部に表示させる。ここでは、一例として、出庫対象の飲料水ボトルが飲料水ボトル４００Ｃであるものとする。
【００３９】
作業者が、出庫対象となる飲料水ボトルのボトル番号（ここでは、４００Ｃ）を入力すると、処理装置１０１は、ＲＡＭに保存されているボトル管理情報を参照し、出庫対象となる飲料水ボトルが保管されている倉庫番号（ここでは、３００Ａ）を表示装置１０５の表示部に表示させる。
【００４０】
作業者は、表示装置１０５の表示部をみて、出庫対象の飲料水ボトルが倉庫３００Ａに保管されていることを認識すると、「確認」キーを押し、携帯端末１００を持ったまま、倉庫３００Ａに入る。
【００４１】
処理装置１０１は、「確認」キーが押されると、飲料水ボトル４００Ｃに貼り付けられているＲＦＩＤタグ５００のＩＤ番号の読み取り（リード）を促すメッセージを表示装置１０５の表示部に表示させる（図９参照）。
【００４２】
作業者は、飲料水ボトル４００Ｃを見つけると、ＲＷ装置１０３が飲料水ボトル４００Ｃに対向するように携帯端末１００を持ち、入力装置１０４の「ＲＦＩＤリード」キーを押す。これにより、ＲＷ装置１０３は、飲料水ボトル４００Ｃに貼り付けられているＲＦＩＤタグ５００のＩＤ番号（ここでは、「４００３」）を読み取り、処理装置１０１に通知する。
【００４３】
処理装置１０１は、出庫日時及び作業者番号を、ＲＷ装置１０３を介して飲料水ボトル４００Ｃに貼り付けられているＲＦＩＤタグ５００に書き込む。また、処理装置１０１は、出庫処理のログデータとして、出庫日時、作業者番号、及び出庫対象の飲料水ボトルが含まれるデータをＲＡＭに記録するとともに、通信装置１０６を介してサーバ１１００Ａに通知する。
【００４４】
処理装置１０１は、飲料水ボトル４００Ｃの出庫を許可するメッセージを表示装置１０５の表示部に表示させる（図１０参照）。
作業者は、飲料水ボトル４００Ｃを倉庫３００Ａから持ち出す。
【００４５】
処理装置１０１は、現在、飲料水ボトル４００Ｃが倉庫３００Ａに保管されていないので、一例として図１１に示されるように、ＲＡＭに保存されているボトル管理情報を変更する。処理装置１０１は、該変更されたボトル管理情報をサーバ１１００Ａに通知する。
【００４６】
サーバ１１００Ａは、この変更されたボトル管理情報を管理装置１０００に通知する。そして、管理装置１０００は、この変更されたボトル管理情報をサーバ１１００Ｂ及びサーバ１１００Ｃに通知する。
【００４７】
そして、処理装置１０１は、表示装置１０５の表示部に初期メニューを表示させ、出庫処理を終了する。
【００４８】
次に、作業者が、初期メニューの「入庫処理」を選択すると、処理装置１０１は、一例として図１２に示されるように、作業者の作業者番号と暗証番号の入力を要求する画面を表示装置１０５の表示部に表示させる。
【００４９】
作業者が、作業者番号と暗証番号を入力すると、処理装置１０１は、ＲＡＭに保存されている前記作業者ＤＢを検索し、入力された作業者番号と暗証番号との関係が正しいか否かを判断し、正しいと判断されると、一例として図１３に示されるように、入庫対象の飲料水ボトルに貼り付けられているＲＦＩＤタグ５００のＩＤ番号を読み取るようにメッセージを表示装置１０５の表示部に表示させる。
【００５０】
作業者は、出庫対象の飲料水ボトルと携帯端末１００を持ったまま、入庫させる倉庫に入室する。ここでは、一例として、入庫対象の飲料水ボトルが飲料水ボトル４００Ｃであり、該飲料水ボトル４００Ｃが倉庫３００Ｂに保管されるものとする。
【００５１】
作業者は、飲料水ボトル４００Ｃを倉庫３００Ｂの棚に載置するとともに、ＲＷ装置１０３が飲料水ボトル４００Ｃに対向するように携帯端末１００を持ち、入力装置１０４の「ＲＦＩＤリード」キーを押す。これにより、ＲＷ装置１０３は、飲料水ボトル４００Ｃに貼り付けられているＲＦＩＤタグ５００のＩＤ番号（ここでは、「４００３」）を読み取り、処理装置１０１に通知する。
【００５２】
処理装置１０１は、入庫対象の飲料水ボトルに貼り付けられているＲＦＩＤタグ５００のＩＤ番号を受け取ると、一例として図１４に示されるように、入庫対象の飲料水ボトルが保管される倉庫に貼り付けられているＲＦＩＤタグ５００のＩＤ番号を読み取るようにメッセージを表示装置１０５の表示部に表示させる。
【００５３】
作業者は、ＲＷ装置１０３が倉庫３００Ｂに貼り付けられているＲＦＩＤタグ５００に対向するように携帯端末１００を持ち、入力装置１０４の「ＲＦＩＤリード」キーを押す。これにより、ＲＷ装置１０３は、倉庫３００Ｂに貼り付けられているＲＦＩＤタグ５００のＩＤ番号（ここでは、「３００２」）を読み取り、処理装置１０１に通知する。
【００５４】
処理装置１０１は、入庫日時、作業者番号、飲料水ボトル４００Ｃが入庫された倉庫番号が含まれるデータを、ＲＷ装置１０３を介して飲料水ボトル４００Ｃに貼り付けられているＲＦＩＤタグ５００に書き込む。また、処理装置１０１は、入庫処理のログデータとして、入庫日時、作業者番号、入庫対象の飲料水ボトルのボトル番号、飲料水ボトルが入庫された倉庫の倉庫番号が含まれるデータをＲＡＭに記録するとともに、通信装置１０６を介してサーバ１１００Ｂに通知する。
【００５５】
処理装置１０１は、新たに飲料水ボトル４００Ｃが倉庫３００Ｂに保管されているので、一例として図１５に示されるように、ＲＡＭに保存されているボトル管理情報を変更する。処理装置１０１は、該変更されたボトル管理情報をサーバ１１００Ｂに通知する。
【００５６】
サーバ１１００Ｂは、この変更されたボトル管理情報を管理装置１０００に通知する。そして、管理装置１０００は、この変更されたボトル管理情報をサーバ１１００Ａ及びサーバ１１００Ｃに通知する。
【００５７】
そして、処理装置１０１は、表示装置１０５の表示部に初期メニューを表示させ、入庫処理を終了する。
【００５８】
なお、メンテナンス処理は、倉庫ＤＢ、ボトルＤＢ、作業者ＤＢに登録されている情報の変更、追加及び削除などを行う際に選択される。
【００５９】
ところで、処理装置１０１は、処理が終了する前に「キャンセル」キーが押されると、該処理を中止して待機状態に戻り、表示装置１０５の表示部に初期メニューを表示させる。
【００６０】
次に、前記ＲＦＩＤタグ５００の詳細について説明する。
ＲＦＩＤタグ５００は、一例として、図１６〜図１８に示されるように、導電体膜５０１、誘電体シート５０３、ＩＣチップ５０４、及びスロットアンテナ５０５などを有している。なお、図１８は図１６のＡ−Ａ断面図である。また、図示の都合上、及び分かりやすくするため、各部の厚さ、大きさは誇張して図示されている。
【００６１】
誘電体シート５０３は、四角形のシート状部材である。ここでは、便宜上、ＸＹＺ３次元直交座標系において、誘電体シート５０３のシート面に直交する方向をＺ軸方向として説明する。
【００６２】
誘電体シート５０３の材料としては、プラスチック、セラミック、雲母、油、及び水を使用することができる。なお、誘電体シート５０３の材料として液体を使用する場合は、シート状が維持されるように、例えば、樹脂製の袋のなかに入れた状態で使用される。
【００６３】
また、誘電体シート５０３の材料が固体の場合は、内部及び表面の少なくとも一方に複数の小さな穴が形成されていても良い。例えば、誘電体シート５０３が発泡部材であっても良い。
【００６４】
導電体膜５０１の材料としては、アルミニウム、金、銀、それらの合金、及びカーボンを用いることができる。ここでは、導電体膜５０１は、ポリエステル、ポリフェニレンスルフォイド、ポリプロピレン、及びポリエチレンなどの厚さが５μｍ〜２５０μｍのフィルム部材５０２上に形成されている。このフィルム部材５０２は、空気を含んでいる発泡フィルム部材であっても良い。
【００６５】
ＩＣチップ５０４は、マイクロプロセッサ、メモリ（ＲＯＭ、ＲＡＭ、ＥＥＰＲＯＭ）、変調器などを有している。
【００６６】
ここでは、ＩＣチップ５０４は、一例として図１９に示されるように、給電端子が形成されたラベルに固着されているラベルタイプのＩＣチップである。
【００６７】
なお、ＩＣチップ５０４としては、端子がいわゆる静電容量的に接続されるＩＣチップや、いわゆるマイクロアンテナを有するＩＣチップなどの特殊チップであっても良い。
【００６８】
スロットアンテナ５０５は、図２０に示されるように、Ｙ軸方向に延び、ＩＣチップ５０４が配置される第１のスロット部と、該第１のスロット部のＹ軸方向の両端に接続された２つのループ部とを有している。各ループ部の形状は、いずれも矩形形状である。
【００６９】
第１のスロット部の＋Ｙ側にあるループ部は、第１のスロット部の＋Ｙ側の端部から−Ｘ方向に延びる第２のスロット部と、該第２のスロット部における−Ｘ側の端部から＋Ｙ方向に延びる第４のスロット部と、第１のスロット部の＋Ｙ側の端部から＋Ｘ方向に延びる第６のスロット部と、該第６のスロット部における＋Ｘ側の端部から＋Ｙ方向に延びる第８のスロット部と、第４のスロット部の＋Ｙ側の端部と第８のスロット部の＋Ｙ側の端部とをつなぐ第１０のスロット部とから構成されている。
【００７０】
第１のスロット部の−Ｙ側にあるループ部は、第１のスロット部の−Ｙ側の端部から−Ｘ方向に延びる第３のスロット部と、該第３のスロット部における−Ｘ側の端部から−Ｙ方向に延びる第５のスロット部と、第１のスロット部の−Ｙ側の端部から＋Ｘ方向に延びる第７のスロット部と、該第７のスロット部における＋Ｘ側の端部から−Ｙ方向に延びる第９のスロット部と、第５のスロット部の−Ｙ側の端部と第９のスロット部の−Ｙ側の端部とをつなぐ第１１のスロット部とから構成されている。
【００７１】
スロットアンテナ５０５は、第１のスロット部の中心を通り、Ｘ軸方向に平行な直線を対称軸とする線対称である。また、スロットアンテナ５０５は、第１のスロット部の中心を通り、Ｙ軸方向に平行な直線を対称軸とする線対称である。
【００７２】
ここで、図２１に示されるように、スロットアンテナ５０５における各スロット部の幅をｓ、Ｘ軸方向に関するスロットアンテナ５０５の長さを２×Ｄｘａとする。また、Ｙ軸方向に関して、第２のスロット部と第３のスロット部との間隙をＤｙｃとする。以下では、このＤｙｃを、「センタースロット長」ともいう。さらに、Ｙ軸方向に関するスロットアンテナ５０５の長さをＤｙｃ＋２×Ｄｙｂとする。また、Ｄｘａ＋Ｄｙｂをループ部の大きさを示す値Ｌとする。
【００７３】
スロットの幅ｓは、０．５ｍｍ〜２０ｍｍの範囲内で設定され、センタースロット長Ｄｙｃは、スロットの幅ｓの１倍〜２０倍の範囲内で設定される。
【００７４】
また、図２２に示されるように、誘電体シート５０３の−Ｚ側にある導電体膜５０１のＹ軸方向に関する長さ（幅）をＤｙ１、誘電体シート５０３の＋Ｚ側にある導電体膜５０１のＹ軸方向に関する長さ（幅）をＤｙ２とする。ここでは、Ｄｙ２≧Ｄｙ１≧Ｄｙｃの関係がある。そして、誘電体シート５０３のＹ軸方向に関する長さをＤｙ３、誘電体シート５０３のＺ軸方向に関する長さ（厚さ）をＤｚ２とする。なお、図２２は、図１６のＢ−Ｂ断面図である。
【００７５】
また、図２３に示されるように、導電体膜５０１のＸ軸方向に関する長さをＤｘ２とする。なお、導電体膜５０１の厚さは非常に薄いので、誘電体シート５０３のＸ軸方向に関する長さは、上記Ｄｘ２とほぼ同じである。
【００７６】
次に、ＲＦＩＤタグ５００の製造方法について簡単に説明する。
１．フィルム部材５０２の表面に導電体膜５０１を形成する。
フィルム部材５０２の形状としては、チューブ状のフィルム部材、１枚のシート状のフィルム部材、複数枚のシート状のフィルム部材を用いることができる。
なお、複数のフィルム部材が用いられる場合は、各フィルム部材の材質は同じであっても良いし、異なっていても良い。
【００７７】
導電体膜５０１は、上記材料の蒸着、浸漬、グラビア印刷、及びスプレー塗布などによって、フィルム部材５０２の表面に形成することができる。また、アルミニウム、金、銀、及びそれらの合金のいずれかの金属箔（例えば、厚さ１６μｍ）をフィルム部材５０２の表面に貼り付けても良い。
【００７８】
導電体膜５０１が形成されたフィルム部材５０２の表面抵抗を、シムコジャパン社製の表面抵抗計（ＳＴ−３、ＳＴ−４）で、ＪＩＳ  Ｃ２３１６に準拠して計測したところ、１０３Ω／□以下であった。
【００７９】
２．フィルム部材５０２における導電体膜５０１が形成されていない面に粘着材あるいは接着材を塗布する。
３．導電体膜５０１が形成されたフィルム部材５０２で誘電体シート５０３を多層被覆する。
【００８０】
ここでは、Ｄｙ３＞Ｄｙ２であり、誘電体シート５０３におけるＹ軸方向の両端近傍を除く部分がフィルム部材５０２及び導電体膜５０１で多層被覆される。
【００８１】
なお、誘電体シート５０３とフィルム部材５０２を接合させる方法として、一般的な粘着材あるいは接着材を用いる方法以外に、（１）フィルム部材５０２の素材と同じ系列の樹脂接着材を用いる方法、（２）フィルム部材５０２の素材と同じ系列の樹脂接着材と硬化剤を用いる方法、（３）フィルム部材５０２の素材と同じ系列の樹脂ホットメルト接着材を用いる方法、（４）フィルム部材５０２の素材と同じ系列の樹脂ホットメルト接着材と硬化剤を用いる方法、（５）フィルム部材５０２の一部を溶解させる方法、などを用いることができる。
【００８２】
上記（１）、（２）、（４）の方法は、一般的な粘着材あるいは接着材を用いる方法に比べて、接合力を大きくすることができる。上記（３）、（４）の方法は、溶剤を不要とすることができる。上記（５）の方法は、低コスト化を図ることができる。
【００８３】
ここでは、フィルム部材５０２の形状として、複数枚のシート状のフィルム部材が用いられている。この場合、導電体膜５０１が形成された複数枚のフィルム部材５０２を重ね合わせて積層体とし、該積層体を、誘電体シート５０３の外形に沿って折り曲げて、誘電体シート５０３をくるむ。そして、該積層体のＹ軸方向の両端を導電性を有する接着材で接合し、該接合部の導電体膜５０１上に銀インクを塗布する。
【００８４】
なお、上記接合部は、導電性を有する接着材だけでなく、導電テープ、超音波接合などで接合されても良い。
【００８５】
また、上記接合部では、交流が通過できる程度に、一側の導電体膜５０１と他側の導電体膜５０１とが近接していても良い。この場合、該接合部における静電容量は、１ｐＦ〜１０ｎＦであることが好ましい。なお、以下では、交流が通過できる程度に、互いが近接している接合を、便宜上、「静電容量的接合」ともいう。
【００８６】
このとき、例えば、フィルム部材５０２と誘電体シート５０３との間に、誘電体シート５０３と同じ材料で形成され、表面に凹凸を有するスペーサを配置し、誘電体シート５０３とフィルム部材５０２との間の一部に、隙間ができるようにしても良い。
【００８７】
４．スロットアンテナ５０５を形成する。
誘電体シート５０３の＋Ｚ側の導電体膜５０１を、フィルム部材５０２とともに所定の形状に打ち抜いて、スロットアンテナ５０５を形成する。
【００８８】
なお、上記「フィルム部材の表面に導電体膜５０１を形成する」工程において、同時にスロットアンテナ５０５を形成しても良い。
【００８９】
例えば、グラビア印刷で導電体膜５０１を形成する場合、スロットアンテナとなる部分が印刷されないような印刷パターンで印刷すれば良い。
【００９０】
また、例えば、蒸着によって導電体膜５０１を形成する場合、蒸着前にシリコンあるいはフッ素系樹脂でスロットアンテナの形状を印刷し、蒸着後に該シリコンあるいはフッ素系樹脂を除去すれば良い。
【００９１】
ここで、スロットアンテナ５０５について説明する。
スロットアンテナ５０５における上記長さＬの値は、次の（１）式から決定される。ここで、μｓはフィルム部材５０２の比透磁率であり、Ｅｓはフィルム部材５０２の比誘電率である。
【００９２】
【数１】
2014041444.tif 000003
【００９３】
フィルム部材５０２の材質がポリ塩化ビニールの場合は、μｓ＝１、Ｅｓ＝２．３である。そして、周波数を９２０ＭＨｚとすると、波長λは０．３２６ｍである。そこで、この場合は、上記（１）式から、Ｌの値は０．０５５ｍである。なお、この場合、Ｌの値は、０．０４４ｍ〜０．０６６ｍであれば同等のアンテナ特性を得ることができる。
【００９４】
５．ＩＣチップ５０４を取り付ける。
ＩＣチップ５０４は、第１のスロット部における、２つの給電端子間のインピーダンスとＩＣチップ５０４内部のインピーダンスとのマッチングがとれる位置に取り付けられる。
【００９５】
ＩＣチップ５０４は、接着剤、粘着テープ（両面、片面）、粘着剤、超音波溶着、及び導電インクなどを単独であるいは組み合わせて用いて、導電体膜５０１に接着される。
【００９６】
ここでは、ＩＣチップ５０４として、給電端子が形成されたラベルに固着されているラベルタイプのＩＣチップを用いており、該給電端子と導電体膜５０１とを導電インクで接着させても良い。なお、周波数調整のために、給電端子と導電体膜５０１との接合が静電容量的接合であっても良い。
【００９７】
ところで、ダイポールアンテナ及びインピーダンス調整回路を有する金属対応でない従来のＲＦＩＤタグを、金属対応のＲＦＩＤタグにすることができる。この場合は、インピーダンス調整回路をカットし、ＩＣチップの電極と導電体膜５０１とを電気的に接続すれば良い。
【００９８】
また、誘電体シート５０３内にＩＣチップ５０４が収容されるように、誘電体シート５０３にくぼみが形成されていても良い。このくぼみは、研磨やプレス加工によって形成することができる。
【００９９】
なお、フィルム部材５０２の−Ｚ側からＩＣチップ５０４を取り付ける場合は、上記「導電体膜５０１が形成されたフィルム部材５０２で誘電体シート５０３を被覆する」工程に先立って、スロットアンテナ５０５を形成し、ＩＣチップ５０４を取り付ける必要がある。
【０１００】
《具体例》
誘電体シート５０３として厚さ０．４ｍｍの塩化ビニールを用い、フィルム部材５０２として厚さ４５μｍの粘着フィルムを用い、導電体膜５０１としてアルミニウム箔（厚さ１６μｍ）を用いた。そして、導電体膜５０１が形成された３枚のフィルム部材５０２で、誘電体シート５０３を３重にくるんだ。すなわち、誘電体シート５０３を取り囲んでいる導電体膜５０１を３層とした。
【０１０１】
また、Ｌ＝５５ｍｍ、ｓ＝１ｍｍ、Ｄｙ１＝５０ｍｍ、Ｄｙ２＝５０ｍｍ、Ｄｙ３＝５４ｍｍ、Ｄｙｂ＝１５ｍｍ、Ｄｙｃ＝１０ｍｍ、Ｄｘａ＝４４ｍｍ、Ｄｘ２＝８６ｍｍ、Ｄｚ２＝０．４ｍｍとした（図２４参照）。
【０１０２】
この具体例のＲＦＩＤタグ５００は、可撓性を有していた。また、該ＲＦＩＤタグ５００の交信性能を、オムロン社製のリーダライタＶＰ７５０で計測したところ、８６０〜９５０ＭＨｚの周波数帯域で、１ｍ離れても交信可能であった。このとき、該ＲＦＩＤタグ５００の裏面側に金属ブロックを置いても、金属ブロックがないときの９０％以上の交信距離が得られた。
【０１０３】
また、具体例のＲＦＩＤタグ５００を、＋Ｚ側の面、すなわち、スロットアンテナ５０５が設けられている側の面を貼り付け面として、プレス用金型の表面に貼り付けても、交信性能の劣化はほとんどなかった。この場合は、ＩＣチップ５０４を保護するための対策を講じる必要がない。そこで、低コスト化を図ることができる。また、外見的に、ＲＦＩＤタグが貼り付けられていることを隠すことができる。
【０１０４】
また、具体例のＲＦＩＤタグ５００を、市販されている缶コーヒーの円筒部に貼り付けても、交信性能の劣化はほとんどなかった。
【０１０５】
また、具体例のＲＦＩＤタグ５００を、自動車の車体に貼り付けても、交信性能の劣化はほとんどなかった。
【０１０６】
そして、ＲＦＩＤタグ５００について種々の検討を行ったところ、一例として図２５に示されるように、４つの領域Ｍａに強力な磁場が存在していることが分かった。これらの強力な磁場は、スロット及びその周辺で大きな電流の流れを発生させていると考えられ、それにより電波の放射が起こっているものと考えられる。
【０１０７】
また、誘電体シート５０３を取り囲んでいる導電体膜５０１が１層の場合と、３層の場合とについて、ＲＦＩＤタグの交信性能をボヤンテック社製の測定器（ｔａｇｆｏｒｍａｎｃｅ）で計測した。その計測結果の一例が図２６に示されている。
【０１０８】
誘電体シート５０３を取り囲んでいる導電体膜５０１が３層の場合、ＲＦＩＤタグから１ｍ離れた位置での計測値が３５ｄＢｍ以下となる周波数の幅は、交信周波数が８６０ＭＨｚ〜９５０ＭＨｚのとき、３０〜５０ＭＨｚであり、誘電体シート５０３を取り囲んでいる導電体膜５０１が１層の場合よりも大きかった。
【０１０９】
以上説明したように、本実施形態に係るＲＦＩＤタグ５００によると、導電体膜５０１、誘電体シート５０３、ＩＣチップ５０４、及びスロットアンテナ５０５などを有している。
【０１１０】
導電体膜５０１は、フィルム部材５０２の一側の面にスロットアンテナ５０５に対応する部分を除く領域に設けられている。そして、誘電体シート５０３は、Ｙ軸方向の両端近傍を除いて、導電体膜５０１が形成されているフィルム部材５０２で多層被覆されている。
【０１１１】
スロットアンテナ５０５は、Ｙ軸方向に延びる第１のスロット部と、該第１のスロット部のＹ軸方向の両端に接続された２つのループ部とを有している。各ループ部の形状は、いずれも矩形形状である。
【０１１２】
ＩＣチップ５０４は、第１のスロット部に配置され、導電体膜５０１における第１のスロット部を形成している部分と電気的に接続されている。
【０１１３】
第１のスロット部の＋Ｙ側にあるループ部は、第１のスロット部の＋Ｙ側の端部から−Ｘ方向に延びる第２のスロット部と、該第２のスロット部における−Ｘ側の端部から＋Ｙ方向に延びる第４のスロット部と、第１のスロット部の＋Ｙ側の端部から＋Ｘ方向に延びる第６のスロット部と、該第６のスロット部における＋Ｘ側の端部から＋Ｙ方向に延びる第８のスロット部と、第４のスロット部の＋Ｙ側の端部と第８のスロット部の＋Ｙ側の端部とをつなぐ第１０のスロット部とから構成されている。
【０１１４】
第１のスロット部の−Ｙ側にあるループ部は、第１のスロット部の−Ｙ側の端部から−Ｘ方向に延びる第３のスロット部と、該第３のスロット部における−Ｘ側の端部から−Ｙ方向に延びる第５のスロット部と、第１のスロット部の−Ｙ側の端部から＋Ｘ方向に延びる第７のスロット部と、該第７のスロット部における＋Ｘ側の端部から−Ｙ方向に延びる第９のスロット部と、第５のスロット部の−Ｙ側の端部と第９のスロット部の−Ｙ側の端部とをつなぐ第１１のスロット部とから構成されている。
【０１１５】
この場合は、金属・水分対応で、所望の交信距離が得られる周波数帯の幅を広くすることができる。
【０１１６】
また、スロットアンテナ５０５が形成されている側の面を貼り付け面にしても、交信距離の減少を抑制することが可能なＲＦＩＤタグを実現することができる。また、金属対応で、貼り付け対象の影響による交信距離の減少を抑制するとともに、可撓性を有するＲＦＩＤタグを実現することができる。ＲＦＩＤタグ５００は、曲げられても特性の劣化はほとんどない。
【０１１７】
そこで、ＲＦＩＤタグ５００は、低価格で、使用される環境、貼り付けられる対象物の材質及び形状、並びに貼り付けられる場所の形状、に制限されることなく安定して使用することができる。
【０１１８】
そして、本実施形態に係るＲＦＩＤシステム１０によると、ＲＦＩＤタグ５００を含んで構成されているため、高コスト化を招くことなく、種々の用途に対応可能であり、精度良く、安定して、ＩＤ番号等を読み取ることができ、システムの信頼性を向上させることができる。
【０１１９】
前記ＲＦＩＤタグ５００の複数の変形例について説明する。なお、以下においては、上記実施形態との相違点を中心に説明するとともに、前述したＲＦＩＤタグ５００と同一若しくは同等の構成部分については同一の符号を用い、その説明を簡略化し若しくは省略するものとする。
【０１２０】
《変形例１》
図２７には、導電体膜５０１が形成された１枚のフィルム部材５０２が、誘電体シート５０３に連続的に複数回巻き付けられているＲＦＩＤタグ５００Ａが示されている。この場合も、誘電体シート５０３を取り囲んでいる導電体膜５０１を多層とすることができる。
【０１２１】
《ＲＦＩＤタグ５００Ａの具体例》
誘電体シート５０３として厚さ０．４ｍｍの塩化ビニールを用い、フィルム部材５０２として厚さ４５μｍの粘着フィルムを用い、導電体膜５０１としてアルミニウム箔（厚さ１６μｍ）を用いた。そして、導電体膜５０１が形成された１枚のフィルム部材５０２で、誘電体シート５０３を３重にくるんだ。すなわち、誘電体シート５０３を取り囲んでいる導電体膜５０１を３層とした。
【０１２２】
また、Ｌ＝５５ｍｍ、ｓ＝１ｍｍ、Ｄｙ１＝５０ｍｍ、Ｄｙ２＝５０ｍｍ、Ｄｙ３＝５４ｍｍ、Ｄｙｂ＝１５ｍｍ、Ｄｙｃ＝１０ｍｍ、Ｄｘａ＝４０ｍｍ、Ｄｘ２＝８６ｍｍ、Ｄｚ２＝０．４ｍｍとした。
【０１２３】
そして、具体例のＲＦＩＤタグ５００Ａについて、交信性能をボヤンテック社製の測定器（ｔａｇｆｏｒｍａｎｃｅ）で計測した。その計測結果の一例が図２８に示されている。
【０１２４】
具体例のＲＦＩＤタグ５００Ａでは、ＲＦＩＤタグから１ｍ離れた位置での計測値が３５ｄＢｍ以下となる周波数の幅は、交信周波数が８６０ＭＨｚ〜９５０ＭＨｚのとき、５０〜７０ＭＨｚであり、上記実施形態における具体例のＲＦＩＤタグ５００よりも大きかった。
【０１２５】
また、具体例のＲＦＩＤタグ５００Ａを金属に貼り付けたときの交信性能をボヤンテック社製の測定器（ｔａｇｆｏｒｍａｎｃｅ）で計測した。その計測結果の一例が図２９に示されている。これによると、具体例のＲＦＩＤタグ５００Ａを金属に貼り付けても、交信性能の劣化はほとんどなかった。
【０１２６】
《変形例２》
図３０には、ＲＦＩＤタグ５００Ａを絶縁シート５１２で被覆したＲＦＩＤタグ５００Ｂが示されている。絶縁シート５１２としては、ポリエステル、ポリフェニレンスルフォイド、ポリプロピレン、及びポリエチレンなどの厚さが５μｍ〜２５０μｍの絶縁体のフィルムを用いることができる。この絶縁シート５１２は、粘着材又は接着剤を用いてＲＦＩＤタグに貼り付けることができる。
【０１２７】
《ＲＦＩＤタグ５００Ｂの具体例》
上記具体例のＲＦＩＤタグ５００Ａを、絶縁シート５１２としてポリエステルのラミネートフィルムで被覆した。
【０１２８】
そして、具体例のＲＦＩＤタグ５００Ｂについて、交信性能をボヤンテック社製の測定器（ｔａｇｆｏｒｍａｎｃｅ）で計測した。その計測結果の一例が図３１に示されている。この計測結果は、上記具体例のＲＦＩＤタグ５００Ａとほぼ同じであった。
【０１２９】
また、具体例のＲＦＩＤタグ５００Ｂを金属に貼り付けたときの交信性能をボヤンテック社製の測定器（ｔａｇｆｏｒｍａｎｃｅ）で計測した。その計測結果の一例が図３２に示されている。これによると、具体例のＲＦＩＤタグ５００Ａを金属に貼り付けても、交信性能の劣化はほとんどなかった。
【０１３０】
なお、上記各ＲＦＩＤタグの具体例では、誘電体シート５０３を取り囲んでいる導電体膜５０１を３層とする場合について説明したがこれに限定されるものではない。要するに、誘電体シート５０３が多層の導電体膜５０１で取り囲まれていれば良い。
【０１３１】
ところで、上記実施形態において、一例として図３３に示されるように、導電体膜５０１の接合部を、別の導電体膜５０８で被覆しても良い。ここでは、導電体膜５０８のＸ軸方向に関する長さＤｘ１を、Ｄｘ２／Ｄｘ１≧１．１とすることにより、該ＲＦＩＤタグが金属に貼り付けられたとき、該金属の影響を更に低減させることができる。
【０１３２】
また、上記実施形態において、一例として図３４に示されるように、導電体膜５０１のＸ軸方向に関する両端部を重ねても良い。この場合も、導電体膜５０１の重なり部分の長さＤｘ１’を、Ｄｘ２／Ｄｘ１’≧１．１とすることにより、該ＲＦＩＤタグが金属に貼り付けられたとき、該金属の影響を更に低減させることができる。
【０１３３】
また、上記実施形態では、Ｄｙ２＝Ｄｙ１の場合について説明したが、これに限定されるものではなく、Ｄｙ２＞Ｄｙ１であっても良い。
【０１３４】
また、上記実施形態において、−Ｚ側の導電体膜５０１の−Ｚ側及び＋Ｚ側の導電体膜５０１の＋Ｚ側の少なくとも一方に、別の導電体膜（導電体膜５１０という）を付加しても良い。
【０１３５】
そして、Ｄｘ２×Ｄｙ２で得られる導電体膜５０１の面積Ｓ１と、導電体膜５１０のＸ軸方向に関する長さＤｘ１０、導電体膜５１０のＹ軸方向に関する長さＤｙ１０を用いてＤｘ１０×Ｄｙ１０で得られる導電体膜５１０の面積Ｓ２との関係を、Ｓ２／Ｓ１≧１．１とすることにより、該ＲＦＩＤタグが金属に貼り付けられたとき、該金属の影響を更に低減させることができる。
【０１３６】
また、上記実施形態において、誘電体シート５０３と導電体膜５０１との間にマグネット部材を付加しても良い。この場合は、接着剤や粘着剤を用いずに該ＲＦＩＤタグを金属に貼り付けることができる。
【０１３７】
また、上記実施形態において、誘電体シート５０３にマグネット部材が内包されていても良い。この場合も、接着剤や粘着剤を用いずに該ＲＦＩＤタグを金属に貼り付けることができる。
【０１３８】
また、上記実施形態において、一例として、誘電体シート５０３の少なくとも一方の面が可逆性感熱記録媒体で被覆されていても良い。この可逆性感熱記録媒体は、接着層、記録層、中間層、保護層などから構成されている（例えば、特開２００７−２４５４３１号公報及び特開２００３−２９１５３３号公報参照）。
【０１３９】
この場合、可逆性感熱記録媒体が露出している部分に、印字装置を用いて、情報を印字するとともに、印字されている情報（印字情報）を書き換えることができる。印字情報としては、ＲＦＩＤタグが貼り付けられる倉庫を特定するための情報（例えば、倉庫番号）や、ＲＦＩＤタグが貼り付けられる飲料水ボトルを特定するための情報（例えば、ボトル番号）などがある。
【０１４０】
可逆性感熱記録媒体は、浸漬法、スプレー塗布法、及びラミネートなどを用いて誘電体シート５０３の上に形成することができる。なお、誘電体シート５０３自体が可逆性感熱記録媒体であっても良い。
【０１４１】
また、上記実施形態における各寸法はそれぞれ一例であり、それらに限定されるものではない。
【０１４２】
また、上記実施形態では、誘電体シート５０３の形状が長方形のシート状である場合について説明したが、これに限定されるものではない。例えば、該長方形の角部が面取りされた多角形のシート状であっても良い。この場合、該面取り部は、導電体膜５０１によって覆われていても良いし、覆われていなくても良い。
【０１４３】
また、上記実施形態では、ＲＦＩＤタグ５００に情報を書き込む場合について説明したが、これに限定されるものではない。ＲＦＩＤタグ５００に情報を書き込まない場合は、前記ＩＣチップ５０４において、情報が書き込まれるメモリ領域が不要である。また、上記ＲＷ装置１０３に代えて、ＩＤ番号の読み出しのみを行う読み出し専用の装置（リーダ）を用いることができる。
【０１４４】
また、上記実施形態では、９個の飲料水ボトルが３つの倉庫に保管される場合について説明したが、飲料水ボトルの数及び倉庫の数はこれに限定されるものではない。
【０１４５】
また、上記実施形態では、ＲＦＩＤシステム１０が飲料水ボトルの管理を行う場合について説明したが、これに限定されるものではない。現在ＲＦＩＤシステムが利用されている用途に適用させることができる。そして、システムの信頼性を向上させることができる。
【０１４６】
また、上記実施形態では、周波数がＵＨＦ帯の場合について説明したが、これに限定されるものではない。
【符号の説明】
【０１４７】
１０…ＲＦＩＤシステム、１００…携帯端末、１０１…処理装置、１０３…ＲＷ装置（通信装置）、１０４…入力装置、１０５…表示装置、５００…ＲＦＩＤタグ、５０１…導電体膜、５０２…フィルム部材、５０３…誘電体シート、５０４…ＩＣチップ、５０５…スロットアンテナ、５０８…導電体膜、５１２…絶縁シート、１０００…管理装置。
【先行技術文献】
【特許文献】
【０１４８】
【特許文献１】特開２００８−１２３２２２号公報
【特許文献２】特開２００９−０４９６５５号公報
【特許文献３】特開２０１０−２１８５３７号公報
【特許文献４】特開２０１１−０５４１８５号公報
【特許文献５】特開２０１１−０９６０５６号公報
【図１】
2014041444.tif 000004
【図２】
2014041444.tif 000005
【図３】
2014041444.tif 000006
【図４】
2014041444.tif 000007
【図５】
2014041444.tif 000008
【図６】
2014041444.tif 000009
【図７】
2014041444.tif 000010
【図８】
2014041444.tif 000011
【図９】
2014041444.tif 000012
【図１０】
2014041444.tif 000013
【図１１】
2014041444.tif 000014
【図１２】
2014041444.tif 000015
【図１３】
2014041444.tif 000016
【図１４】
2014041444.tif 000017
【図１５】
2014041444.tif 000018
【図１６】
2014041444.tif 000019
【図１７】
2014041444.tif 000020
【図１８】
2014041444.tif 000021
【図１９】
2014041444.tif 000022
【図２０】
2014041444.tif 000023
【図２１】
2014041444.tif 000024
【図２２】
2014041444.tif 000025
【図２３】
2014041444.tif 000026
【図２４】
2014041444.tif 000027
【図２５】
2014041444.tif 000028
【図２６】
2014041444.tif 000029
【図２７】
2014041444.tif 000030
【図２８】
2014041444.tif 000031
【図２９】
2014041444.tif 000032
【図３０】
2014041444.tif 000033
【図３１】
2014041444.tif 000034
【図３２】
2014041444.tif 000035
【図３３】
2014041444.tif 000036
【図３４】
2014041444.tif 000037